(57)【要約】【課題】  生産手配用図面の管理をより効率的に行うことを目的とする。【課題手段】  画像データ管理部１３が生産手配用図面の原図として複数の画像データを入庫するとともに、属性情報管理部１２が画像データごとに原図として認証されたことを示す最新の認証情報を管理する。そして、処理部１５は、利用者用端末５０から、特定の画像データの借用の申し入れを受け付けた場合、属性情報管理部１２および画像データ管理部１３を参照して、申し入れがあった画像データに対応する最新の認証情報をその画像データに付加し、付加した画像データを利用者用端末５０に出庫させる。【選択図】      図１
2005309928.tif 000002
【特許請求の範囲】
【請求項１】
情報記憶部およびこれを制御する処理部を備え、
前記情報記憶部が、生産手配用図面の原図として複数の画像データを入庫するとともに、前記画像データごとに、前記原図として認証されたことを示す最新の認証情報を管理する電子原図庫システムであって、
前記処理部は、
利用者用端末から、特定の前記画像データの借用の申し入れを受け付けた場合、
前記情報記憶部を参照して、申し入れがあった画像データに対応する前記最新の認証情報を付加し、付加した画像データを前記利用者用端末に出庫させる
ことを特徴とする電子原図庫システム。
【請求項２】
前記情報記憶部が、さらに、前記原図として未認証の画像データを仮入庫している場合に、前記処理部が、前記未認証の画像データを、前記原図として認証する認証者の認証者用端末に仮出庫させるとき、
前記処理部は、
前記未認証の画像データに仮出庫時間を関連付けて、前記認証者用端末に仮出庫させる
ことを特徴とする請求項１に記載の電子原図庫システム。
【請求項３】
情報記憶部およびこれを制御する処理部を備え、
前記情報記憶部が、生産手配用図面の原図として管理される複数の画像データの図番を、採番済みの図番ごとに、かつ未採番の図番ごとに分類して管理する電子原図庫システムであって、
前記処理部は、
利用者用端末からの要求に応じて、前記情報記憶部を参照して、前記画像データごとにあらかじめ準備されている複数の図番について、採番済みの図番または未採番の図番の別に前記利用者用端末に出力する
ことを特徴とする電子原図庫システム。
【請求項４】
情報記憶部およびこれを制御する処理部を備え、
前記情報記憶部が、生産手配用図面の原図として取り扱われる複数の画像データを、図番、改訂番号および製作番号に相互に関連付けて入庫する電子原図庫システムであって、
前記処理部は、
利用者用端末から、特定の図番、改訂番号および製作番号が付与されている前記画像データを用いた製作が完了した旨の情報を受け付けた場合、
前記受け付けた図番および改訂番号に関連付けられた他のすべての製作番号が付与されている前記画像データを用いた製作が完了した旨の情報を受け付けたことになったことを条件に、前記受け付けた特定の図番および改訂番号が付与されている画像データを前記情報記憶部から削除する
ことを特徴する電子原図庫システム。
【請求項５】
情報記憶部およびこれを制御する処理部を備え、
前記情報記憶部が、生産手配用図面の原図として認証済みの複数の画像データを入庫するとともに、前記画像データごとに、利用者への借用期限を格納する電子原図庫システムであって、
前記処理部は、
利用者用端末から、借用中の前記画像データの再入庫の申し入れがあった場合、
申し入れがあった前記画像データに対応付けられている前記借用期限が切れていないことを条件として、前記申し入れがあった画像データを前記情報記憶部に再入庫する
ことを特徴とする電子原図庫システム。
【発明の詳細な説明】
【技術分野】
【０００１】
本発明は、電子原図庫システムに係り、特に、画像データを原図として管理する電子原図庫システムに関するものである。
【背景技術】
【０００２】
製造業界では、生産品の設計図などの生産手配用図面を管理する方法として、次のような方法が採用されている。
第一の方法として、ＣＡＤ装置で作成された生産手配用図面のＣＡＤデータを管理する方法がある（例えば、特許文献１参照）。
第二の方法として、ＣＡＤ装置で作成された生産手配用図面のＣＡＤデータを画像データ（ここではＴＩＦＦ（Tagged Image File Format）形式）に変換して管理する方法がある（例えば、特許文献２参照）。
【０００３】
【特許文献１】特開２００２−２８８１８３号公報（段落００２１、図１）
【特許文献２】特開２００３−２２２９０号公報（段落００１０、図１）
【発明の開示】
【発明が解決しようとする課題】
【０００４】
しかしながら、特許文献１では、新旧のバージョンのＣＡＤアプリケーションで展開されたＣＡＤデータが混在することとなり、長期にわたるＣＡＤデータの管理が非効率的になるおそれがあった。
また、特許文献２では、生産手配用図面の管理をより効率的に行わなければならないという課題があった。
【０００５】
そこで、本発明は、前記した課題を解決するためになされたものであり、その目的は、生産手配用図面の管理をより効率的に行うことが可能な電子原図庫システムを提供することである。
【課題を解決するための手段】
【０００６】
前記課題を解決するために本発明は、生産手配用図面の原図として認証済みの画像データに、原図として認証されたことを示す最新の認証情報を関連付けて出庫する。
【発明の効果】
【０００７】
本発明によると、生産手配用図面をより効率的に管理することができる。
【発明を実施するための最良の形態】
【０００８】
以下、本発明を実施するための最良の形態である「電子原図庫システム」について説明する。
【０００９】
図１は、本発明に係る電子原図庫システムを含む全体のシステムを示すブロック図である。ここでは、電子原図庫システムがある製造会社に設置されている場合を例にして説明する。
【００１０】
図１において、電子原図庫システム１０は、ＬＡＮ（Local Area Network）２０を介して、審査員用端末（認証用端末）３０、承認者用端末（認証用端末）４０および利用者用端末５０に接続されている。以下、電子原図庫システム１０、審査員用端末３０、承認者用端末４０および利用者用端末５０について説明する。
【００１１】
まず、電子原図庫システム１０について説明する。電子原図庫システム１０は、通信部１１、属性情報管理部（情報記憶部）１２、画像データ管理部（情報記憶部）１３、ＣＡＤデータ管理部１４およびこれらを制御する処理部（ＣＰＵ）１５を有している。
通信部１１は、入出力インターフェースなどの通信装置である。属性情報管理部１２、画像データ管理部１３およびＣＡＤデータ管理部１４は、メモリなどの記憶装置である。以下、属性情報管理部１２、画像データ管理部１３およびＣＡＤデータ管理部１４について、順を追って説明する。
【００１２】
属性情報管理部１２には、図２（ａ）に示すように、図番ｄ１および属性情報（図面名称など）ｄ２が関連付けられている。図番ｄ１は、生産手配用図面の原図として管理される複数の画像データ（ここではＴＩＦＦ形式）の番号（例えば「Ａ００１」など）であり、ここでは、あらかじめ複数の図番ｄ１が準備されている。図２（ａ）では、「Ａ００１」〜「Ａ００７」の図番ｄ１が準備されている。
なお、生産手配用図面というのは、生産品の設計図、製作図などの図面を意味する。また、生産手配用図面の原図として管理される複数の画像データというのは、各画像データが生産手配用図面の原図として取り扱われるものを意味する。
【００１３】
また、属性情報管理部１２には、図２（ｂ）に示すように、図２（ａ）で示した各図番ｄ１が、採番済みの図番ｄ１１ごとに、かつ未採番の図番ｄ１２ごとに分類して管理されている。
【００１４】
また、属性情報管理部１２には、図３（ａ）に示すように、図番ｄ１、改訂番号ｄ４および認証情報ｄ５が相互に関連付けられている。改訂番号ｄ４は、生産手配用図面が改訂されるたびにその生産手配用図面の画像データに付与される番号（例えば「０」，「１」など）である。
認証情報ｄ５は、前記した画像データが生産手配用図面の原図として認証されたことを示す情報である。ここでは、第一の認証者である審査員名、審査員が審査した審査日、第二の認証者である承認者名および承認者が承認した承認日が認証情報ｄ５に含まれている。
【００１５】
さらに、属性情報管理部１２には、図３（ｂ）に示すように、図番ｄ１、改訂番号ｄ４および製作番号ｄ６が相互に関連付けられている。製作番号ｄ６は、前記した画像データの生産手配用図面を用いて生産品が製作される際にその生産手配用図面の画像データに付与される番号（例えば「Ｂ００１」など）である。
【００１６】
また、属性情報管理部１２には、図３（ｃ）に示すように、図番ｄ１および借用期限ｄ７が関連付けられている。借用期限ｄ７は、利用者への画像データの借用を許可する期限（例えば４時間以内など）である。
【００１７】
図１に戻って説明する。画像データ管理部１３には、前記した画像データが複数入庫（登録）されている。さらに詳述すると、画像データ管理部１３には、各画像データが、図３（ｂ）に示した図番ｄ１、改訂番号ｄ４および製作番号ｄ６に相互に関連付けられて入庫されている。
また、画像データ管理部１３には、原図として未認証の画像データも仮入庫（仮登録）されている。
【００１８】
なお、前記した画像データは、紙原図である生産手配用原図が変換されて生成されたものであってもよいし、あるいは後記する生産手配用図面のＣＡＤデータが変換されて生成されたものであってもよい。
【００１９】
ＣＡＤデータ管理部１４には、生産手配用図面のＣＡＤデータが管理されている。
【００２０】
次に、審査員用端末３０、承認者用端末４０および利用者用端末５０について説明する。審査員用端末３０、承認者用端末４０および利用者用端末５０は、それぞれ、例えばパーソナルコンピュータである。審査員用端末３０は、前記した第一の認証者である審査員に利用され、承認者用端末４０は、前記した第二の認証者である承認者に利用される。利用者用端末５０は、設計者などの利用者に利用される。
【００２１】
次に、前記した電子原図庫システム１０の処理手順を図面に基づいて説明する。なお、電子原図庫システム１０は、ＣＤ−ＲＯＭなどのコンピュータ読み取り可能な記録媒体に記録されている電子原図庫プログラムに従って動作する。
［図番の分類表示に関する処理］
まず、図番ｄ１の分類表示に関する処理を図４および図５に基づいて説明する。
図４は、電子原図庫システム１０の処理部１５の処理手順であって、図番ｄ１の分類表示に関する処理手順を示す図である。
【００２２】
例えば、ある利用者が、図番ｄ１について採番済みの図番ｄ１１および未済番の図番ｄ１２の分類を確認するために、利用者用端末５０を操作して、図番ｄ１の送信の要求をＬＡＮ２０を介して電子原図庫システム１０に行う。
すると、電子原図庫システム１０の処理部１５は、図番ｄ１の送信の要求を受け付け（Ｓ１０１）、属性情報管理部１２（図２（ｂ））を参照して、採番済みの図番ｄ１１および未済番の図番ｄ１２を読み出す（Ｓ１０２）。
【００２３】
そして、処理部１５は、読み出した採番済みの図番ｄ１１および未済番の図番ｄ１２に図番ｄ１を分類して、ＬＡＮ２０を介して利用者用端末５０に出力する（Ｓ１０３）。これにより、利用者用端末５０上には、例えば図５に示す表示画面ｄ１００が表示され、利用者は、未採番の図番（「Ａ００２」など）ｄ１２および採番済みの図番（「Ａ００１」など）ｄ１１の分類を確認することが可能となる。なお、図５では、採番済みの図番ｄ１１には、図面名称および採番者名が関連付けられて表示されている。
【００２４】
[画像データの認証に関する処理］
次に、画像データの認証に関する処理を図６および図７に基づいて説明する。
図６は、電子原図庫システム１０の処理部１５の処理手順であって、画像データの認証に関する処理手順を示す図である。ここでは、審査員および承認者が、生産手配用図面（ここでは紙図面）の原図として認証されていない未認証の画像データの審査および承認をそれぞれ行う場合を例にして説明する。
【００２５】
Ｓ２０１において、処理部１５は、審査員用端末３０からの要求に応じて、画像データ管理部１３を参照し、仮入庫されている未認証の画像データをＬＡＮ２０を介して審査員用端末３０に仮出庫（出力）させる。これを詳述すると、処理部１５は、仮出庫に際し、前記した未認証の画像データに仮出庫時間（出力時間を意味する。以下同じ。）を関連付けて、審査員用端末３０に仮出庫させる。なお、ここでは、未認証の画像データに仮出庫時間を関連付ける方法として、例えば、未認証の画像データに仮出庫時間を付加（合成を意味する。以下同じ。）する方法が採用されている。
【００２６】
すると、審査員用端末３０上には、例えば図７に示す仮出庫時間ｄ８を含む表示画面が表示される。これにより、審査員は、未認証の画像データとその元図である紙図面の生産手配用図面との内容を照合する際に、仮出庫時間ｄ８を手がかりとして、実際にその画像データが審査されていないことを確認することができる。つまり、紙図面である画像データの元図には、対応する未認証の画像データが画像データ管理部１３に仮入庫したときの仮入庫時間があらかじめ記入されているので、その仮入庫時間と前記した仮出庫時間ｄ８との前後関係から、審査対象の画像データが審査されたかどうかが明確になる。
【００２７】
なお、図７の表示画面には、輪郭線ｄ２００の内側に図面作成枠ｄ３００が表示されている。そして、図面作成枠ｄ３００内には、フランジの図、表題欄（図番ｄ１、最新の改訂番号ｄ４を含む）ｄ４００、部品欄ｄ５００および来歴欄（最新の認証情報記入欄ｄ６０１などを含む）ｄ６００が表示されている。
また、図面作成枠ｄ３００外の表題欄ｄ４００の下部には、前記した仮出庫時間ｄ８が表示されている。
なお、図７において来歴欄ｄ６００中の担当者は、画像データの新規作成者あるいは改訂者である。
【００２８】
そして、審査員が、審査員用端末３０を操作して、図７に示した最新の認証情報記入欄ｄ６０１に自己の氏名（審査員名）および審査日を入力する。そして、審査員が、審査員用端末３０を操作して、入力された氏名および審査日に画像データを関連付けて、電子原図庫システム１０にＬＡＮ２０を介して返送する。なお、入力された氏名および審査日は、例えばテキストデータである。
【００２９】
すると、電子原図庫システム１０の処理部１５は、審査員用端末３０から返送されてきた画像データを審査済みの画像データとして受け付ける（Ｓ２０２）。
【００３０】
次に、Ｓ２０３において、処理部１５は、承認者用端末４０からの要求に応じて、画像データ管理部１３を参照し、Ｓ２０２で受け付けた審査済みの画像データをＬＡＮ２０を介して承認者用端末４０に仮出庫させる。これを詳述すると、処理部１５は、仮出庫に際し、前記した審査済みの画像データに仮出庫時間ｄ８（図７で示した仮出庫時間ｄ８と同じ）を関連付けて、承認者用端末４０に仮出庫させる。
【００３１】
これにより、承認者は、前記した審査員の場合と同様、仮出庫時間ｄ８を手がかりとして、実際にその画像データが承認されていないことを確認することができる。
そして、承認者が、承認者用端末４０を操作して、図７に示した最新の認証情報記入欄ｄ６０１に自己の氏名（承認者名）および承認日をそれぞれ入力する。そして、承認者が、承認者用端末４０を操作して、入力された氏名および承認日を画像データに関連付けて、電子原図庫システム１０にＬＡＮ２０を介して返送する。なお、入力された氏名および承認日は、例えばテキストデータである。
【００３２】
すると、電子原図庫システム１０の処理部１５は、承認者用端末４０から返送されてきた画像データを承認済みの画像データとして受け付け（Ｓ２０４）、その承認済みの画像データを原図として画像データ管理部１３に入庫する（Ｓ２０５）。なお、承認済みの画像データに関連付けられている氏名および承認日は、属性情報管理部１２の所定領域に管理される。これにより、入庫された画像データが、原図として利用者などに取り扱われることとなる。
【００３３】
[画像データの借用に関する処理］
次に、画像データの借用に関する処理を図８乃至図１０に基づいて説明する。
図８は、電子原図庫システム１０の処理部１５の処理手順であって、画像データの借用に関する処理手順を示す図である。ここでは、ある利用者が、前記した図６の認証処理（Ｓ２０１〜Ｓ２０５）により認証された図７の画像データ（フランジに関する図面を表したもの）を借用する場合を例にして説明する。
【００３４】
処理部１５は、利用者用端末５０から、図７の画像データ（ここでは認証済みの画像データ）の借用の申し入れをＬＡＮ２０を介して受け付ける（Ｓ３０１）。これを詳述すると、処理部１５は、受け付けに際し、申し入れがあった画像データの図番ｄ１および改訂番号ｄ２を受け付ける。
【００３５】
すると、処理部１５は、画像データ管理部１３を参照して、申し入れがあった画像データをＬＡＮ２０を介して利用者用端末５０に出庫させる（Ｓ３０２）。これを詳述すると、処理部１５は、出庫に際し、属性情報管理部１２（図３（ａ））を参照して、申し入れがあった画像データの図番ｄ１および改訂番号ｄ２に対応する最新の認証情報ｄ５を、前記した図７に示した輪郭線ｄ２００と図面作成枠ｄ３００との間（以下これを「輪郭部」と呼ぶ。）に付加して、利用者用端末５０に出庫させる。
【００３６】
これにより、利用者用端末５０上には、例えば図９に示す表示画面が表示される。図９の表示画面には、輪郭部の上部に最新の認証情報ｄ５が表示されている。最新の認証情報ｄ５というのは、最新の改訂番号ｄ４を表す生産手配用図面の画像データが認証されたことを示す情報、すなわち図７に示した最新の認証情報記入欄ｄ６０１の記載内容のことである。つまり、図７に示した最新の認証情報記入欄ｄ６０１に記入された「審査員名」、「審査日」、「承認者名」および「承認日」が図９に示した最新の認証情報ｄ５として表示されることとなる。
以上から、最新の画像データの責任の所在が明確になり、あらゆる利用者が安心して画像データを借用することが可能となる。
【００３７】
そして、処理部１５は、利用者用端末５０から、Ｓ３０２で出庫させた画像データ（ここでは図７で示したフランジの板厚を変更したもの）の再入庫の申し入れを受け付ける（Ｓ３０３）。
すると、処理部１５は、属性情報管理部１２（図３（ｃ））を参照して、Ｓ３０１で申し入れがあった画像データに対応付けられている借用期限（例えば出庫後４時間以内）ｄ７が切れていないかどうかを判断する（Ｓ３０４）。
【００３８】
そして、Ｓ３０４の判断処理において借用期限ｄ７内の場合（Ｓ３０４の「ＮＯ」の場合）、処理部１５は、Ｓ３０３で申し入れがあった画像データを画像データ管理部１３に再入庫する（Ｓ３０５）。これを詳述すると、処理部１５は、この再入庫に際し、申し入れがあった改訂後の画像データ（ここでは原図として未認証の画像データ）について、前記した画像データの認証に関する処理（図６のＳ２０１〜Ｓ２０５参照）があったことを条件に画像データ管理部１３に再入庫する。
【００３９】
処理部１５が再入庫した画像データの表示例を図１０に示す。図１０では、図面作成枠ｄ３００内には、板厚が変更されたフランジの図が表示されている。また、来訪欄ｄ６００内には、「１」を示す最新の改訂番号ｄ４が表示されている。
さらに、「１」を示す最新の認証情報ｄ５も輪郭部の上部に表示されている。これにより、再入庫された画像データの責任の所在も明確になり、あらゆる利用者が安心して再入庫された画像データを借用することが可能となる。
また、図１０に示した来訪欄ｄ６００内には、過去の認証情報（ここでは「０」を示す改訂番号のもの）ｄ５が表示されている。これは、処理部１５が次のような処理を行うからである。すなわち、処理部１５は、再入庫した画像データの出庫に際し、属性情報管理部１２（図３（ａ））を参照して、過去の認証情報ｄ５を、再入庫した画像データの輪郭部に付加して、利用者用端末５０に出庫させる。これにより、過去の画像データの責任の所在も明確になる。
【００４０】
他方、図８のＳ３０４の判断処理において借用期限が切れている場合（Ｓ３０４の「ＹＥＳ」の場合）、処理部１５は、再入庫拒否処理として、Ｓ３０３で申し入れがあった画像データの受信を拒否する（Ｓ３０６）。つまり、借用期限が切れた場合、利用者には再入庫の権限が自動的に消滅することになる。これにより、借用中の画像データの借用期限内の返却が促進されることとなる。
【００４１】
［画像データを用いた製作完了の旨の情報を受け付た場合に関する処理］
次に、画像データを用いた製作完了の旨の情報を受け付た場合に関する処理を図１および図３（ｂ）を参照して説明する。ここでは、利用者が、図１１に示す図番ｄ１、改訂番号ｄ４および製作番号ｄ６が付与された画像データ（図７に示したフランジに関するもの）を用いた製作が完了した場合を例にして説明する。
【００４２】
利用者が、利用者用端末５０を操作して、図１１に示した図番ｄ１、改訂番号ｄ４および製作番号ｄ６が付与されている画像データを用いた製作が完了した旨の情報を、ＬＡＮ２０を介して電子原図庫システム１０に送信する。
【００４３】
すると、電子原図庫システム１０の処理部１５は、利用者用端末５０から、前記した旨の情報を受け付ける。この場合、処理部１５は、属性情報管理部１２（図３（ｂ））を参照して、受け付けた図番ｄ１および改訂番号ｄ４に関連付けられた他のすべての製作番号ｄ６が付与されている画像データを用いた製作が完了した旨の情報を受け付けたことになったとき、図１１に示した画像データを画像データ管理部１３から削除する。これにより、製作の過程でその都度借用された過去の画像データを削除していくことが可能となる。これにより、メモリの効率化を図ることが可能となる。
【００４４】
一方、処理部１５は、属性情報管理部１２（図３（ｂ））を参照して、受け付けた図番ｄ１および改訂番号ｄ４に関連付けられた他のすべての製作番号ｄ６が付与されている画像データを用いた製作が完了した旨の情報を受け付けたことにならなかったとき、図１１に示した画像データを画像データ管理部１３に管理しておく。これにより、製作の過程で借用中の過去の画像データを保持しておくことが可能となる。
【００４５】
なお、前記した実施の形態において、画像データはＴＩＦＦ形式の場合について説明したが、ＧＩＦ（Graphics Interchange Format）形式などの画像データであってもよい。
【図面の簡単な説明】
【００４６】
【図１】本発明に係る電子原図庫システムを含む全体のシステム構成を示すブロック図である。
【図２】図１の属性情報管理部のデータ構成を示す図である。
【図３】図１の属性情報管理部の他のデータ構成を示す図である。
【図４】図１の電子原図庫システムの処理部の処理手順であって、図番の分類表示に関する処理手順を示す図である。
【図５】図１の利用者用端末に表示された図番表示案内に関する表示画面の一例を示す図である。
【図６】図１の電子原図庫システムの処理部の処理手順であって、画像データの認証に関する処理手順を示す図である。
【図７】図１の利用者用端末に表示された仮出庫時間を含む表示画面の一例を示す図である。
【図８】図１の電子原図庫システムの処理部の処理手順であって、画像データの借用に関する処理手順を示す図である。
【図９】図１の利用者用端末に表示された最新の認証情報を含む表示画面の一例を示す図である。
【図１０】図１の処理部が再入庫した画像データの表示例を示す図である。
【図１１】製作番号が付与された画像データの表示例を示す図である。
【符号の説明】
【００４７】
１０      電子原図庫システム
１２      属性情報管理部
１３      画像データ管理部
１５      処理部
３０      審査員用端末
４０      承認者用端末
５０      利用者用端末
【図１】
2005309928.tif 000003
【図２】
2005309928.tif 000004
【図３】
2005309928.tif 000005
【図４】
2005309928.tif 000006
【図５】
2005309928.tif 000007
【図６】
2005309928.tif 000008
【図７】
2005309928.tif 000009
【図８】
2005309928.tif 000010
【図９】
2005309928.tif 000011
【図１０】
2005309928.tif 000012
【図１１】
2005309928.tif 000013